(57)【要約】【課題】初期の発光強度を長期にわたり維持することができる空気清浄機の発光表示装置を提供することを目的としている。【解決手段】側面に吸込口１と側面吹出口２を設け、側面吹出口２側寄りの前面吹出口３を設け、内部に空気清浄手段６を設けた本体７と、本体７に設けられる発光表示手段１０とを備え、発光表示手段１０を前面吹出口３に設け表示することにより、発光表示手段１０の汚染が抑制され初期の発光強度を長期にわたり維持することができる空気清浄機の発光表示装置が得られる。【選択図】図１
2006017378.tif 000002
【特許請求の範囲】
【請求項１】
一側面に吸込口を有し、他側面に側面吹出口を設け、前記側面吹出口側寄りの前面に前面吹出口を設け、内部に空気清浄手段を設けた本体と、この本体に設けられる発光表示手段とを備え、前記発光表示手段を前記前面吹出口に設け表示する構成とした空気清浄機の発光表示装置。
【請求項２】
本体に細長形状に形成される前面吹出口と、この前面吹出口に設けられる細長形状の透光体と、この透光体の両端から照射するＬＥＤとを設け発光表示手段を形成した請求項１記載の空気清浄機の発光表示装置。
【請求項３】
透光体の前面および前面吹出口空間に近接する側面が発光する構成とした請求項２記載の空気清浄機の発光表示装置。
【請求項４】
前面吹出口を形成する風路に光沢塗装を施した請求項１〜３のいずれかに記載の空気清浄機の発光表示装置。
【請求項５】
透光体前方に透明材料からなる吹出格子を設けた請求項１〜４のいずれかに記載の空気清浄機の発光表示装置。
【請求項６】
透光体の両端に発光色の異なるＬＥＤを設け、前記透光体に炭酸カルシウムを含有させた請求項１〜５のいずれかに記載の空気清浄機の発光表示装置。
【請求項７】
透光体の両端に多色発光可能なＬＥＤを設けた請求項１〜６のいずれかに記載の空気清浄機の発光表示装置。
【請求項８】
透光体の両端に多色発光可能に設けられるＬＥＤの色を選択できる選択スイッチを設けた請求項７記載の空気清浄機の発光表示装置。
【請求項９】
断面形状が扇形の透光体と、この透光体の曲面部分を反射させる反射手段を設けた請求項１〜７のいずれかに記載の空気清浄機の発光表示装置。
【請求項１０】
本体にリモコン受信部を設け、リモコン信号受信時に発光表示手段が点滅する構成とした請求項１記載の空気清浄機の発光表示装置。
【発明の詳細な説明】
【技術分野】
【０００１】
本発明は、空気清浄機の運転状態を確認できるように表示することができる空気清浄機の発光表示装置に関する。
【背景技術】
【０００２】
従来、この種の空気清浄機の発光表示装置として透光体にＬＥＤを照射するものがあった（例えば、未公開自社出願の特願２００３−１７０２９７号（［００２０］、図１、図５）参照）。
【０００３】
以下、その空気清浄機の発光表示装置について図９および図１０を参照しながら説明する。
【０００４】
図に示すように、本体１０１の前面開口を覆うようにフロントパネル１０２を設け、本体１０１の内部には送風手段１０３と集塵ユニット１０４よりなる空気の清浄手段１０５を設け、本体１０１とフロントパネル１０２間に補助吸込口１０６を設けている。
【０００５】
そして、フロントパネル１０２の前面左側の端部には細長形状の透光体１０７を縦方向に設け、透光体１０７の両端に対向させ青色のＬＥＤ１０８と赤色のＬＥＤ１０９を設け、透光体１０７を両端から照射するように発光表示体１１０を形成し、発光表示体１１０の近傍に光を前方に反射する反射面１１１を設け構成している。
【発明の開示】
【発明が解決しようとする課題】
【０００６】
このような従来の空気清浄機の発光表示装置では、補助吸込口１０６の近傍に発光表示体１１０および反射面１１１を設けているので、汚染されている吸込空気が補助吸込口１０６に吸い込まれるとき、汚染されている吸込空気が発光表示体１１０および反射面１１１に接触し、長期にわたる使用により発光表示体１１０および反射面１１１が汚れ、照射される光が弱くなるという課題があり、発光表示体１１０および反射面１１１の汚れを防止し、初期の発光強度を長期にわたり維持することが要求されている。
【０００７】
本発明は、このような従来の課題を解決するものであり、初期の発光強度を長期にわたり維持することができる空気清浄機の発光表示装置を提供することを目的としている。
【課題を解決するための手段】
【０００８】
本発明の空気清浄機の発光表示装置は上記目的を達成するために、一側面に吸込口を有し、他側面に側面吹出口を設け、前記側面吹出口側寄りの前面に前面吹出口を設け、内部に空気清浄手段を設けた本体と、この本体に設けられる発光表示手段とを備え、前記発光表示手段を前記前面吹出口に設け、表示する構成としたものである。
【０００９】
この手段により、発光表示手段の表面の汚れを抑制することができ、初期の発光強度を長期にわたり維持することができる空気清浄機の発光表示装置が得られる。
【００１０】
また、他の手段は、本体に細長形状に形成される前面吹出口と、この前面吹出口に設けられる細長形状の透光体と、この透光体の両端から照射するＬＥＤとを設け、発光表示手段を形成したものである。
【００１１】
この手段により、発光により表示している内容を使用者が容易に認識することができるとともに、送風領域を認識することができる。
【００１２】
また、他の手段は、透光体の前面および前面吹出口空間に近接する側面が発光する構成としたものである。
【００１３】
この手段により、発光表示手段の視野角を拡大することができる。
【００１４】
また、他の手段は、前面吹出口を形成する風路に光択塗装を施したものである。
【００１５】
この手段により、発光源となる透光体の材料を減少させ、発光面が小さな場合でも広い範囲を発光させることができる。
【００１６】
また、他の手段は、透光体前方に透明材料からなる吹出格子を設けたものである。
【００１７】
この手段により、光の減少を最小限に抑えて、視認性を確保し、吹出口への異物等の侵入を防止する格子を設けることができる。
【００１８】
また、他の手段は、透光体の両端に発光色の異なるＬＥＤを設け、前記透光体に炭酸カルシウムを含有させたものである。
【００１９】
この手段により、透光体上下で各々のＬＥＤ色を表現することが可能となり、表示内容を鮮明に表現することができる。
【００２０】
また、他の手段は、透光体の両端に多色発光可能なＬＥＤを設けたものである。
【００２１】
この手段により、数多くの表示内容を設定することが可能となるとともに、ＬＥＤの設置スペースも小さくすることができる。
【００２２】
また、他の手段は、透光体の両端に多色発光可能に設けられるＬＥＤの色を選択できる選択スイッチを設けたものである。
【００２３】
この手段により、使用者の好む発光色を選択することが可能となる。
【００２４】
また、他の手段は、断面形状が扇形の透光体と、この透光体の曲面部分を反射させる反射手段を設けたものである。
【００２５】
この手段により、発光面の輝度を上げることができる。
【００２６】
また、他の手段は、本体にリモコン受信部を設け、リモコン信号受信時に発光表示手段が点滅する構成としたものである。
【００２７】
この手段により、本体がリモコン信号を受信したことを使用者に分かりやすく伝えることが可能となる。
【発明の効果】
【００２８】
本発明によれば、発光表示手段の表面の汚れを抑制することができ、初期の発光強度を長期にわたり維持することができる空気清浄機の発光表示装置を提供できる。
【００２９】
また、発光により表示している内容および送風領域を使用者が容易に認識することができ、また、発光表示手段の視野角を拡大できる。
【００３０】
また、発光源となる透光体の材料の減少を図ることができ、発光面が小さな場合でも広範囲に発光させることができる空気清浄機の発光装置を提供できる。
【００３１】
また、数多くの表示内容を設定することが可能にでき、また、使用者が好む発光色を選択することができ、リモコン受信を可能にできる空気清浄機の発光表示装置を提供できる。
【発明を実施するための最良の形態】
【００３２】
本発明の請求項１記載の発明は、一側面に吸込口を有し、他側面に側面吹出口を設け、前記側面吹出口側寄りの前面に前面吹出口を設け、内部に空気清浄手段を設けた本体と、この本体に設けられる発光表示手段とを備え、前記発光表示手段を前記前面吹出口に設け表示する構成としたものであり、清浄空気が流れる吹出口に発光表示手段を設けることにより、表面の汚れを抑制することができ、初期の発光強度を長期にわたり維持することができ、また、吹出口が障害物により塞がっている場合においても、光の減少または消灯により使用者が容易に認識することができ、製品の誤使用を防止するという作用を有する。
【００３３】
また、請求項２記載の発明は、本体に細長形状に形成される前面吹出口に設けられる細長形状の透光体と、この透光体の両端から照射するＬＥＤとを設け、発光表示手段を形成したものであり、広範囲に光を照射することが可能となり、発光により表示している内容を使用者が容易に認識することができ、また、前面から風の出ている範囲が表示されて、使用者が送風領域を認識することができるという作用を有する。
【００３４】
また、請求項３記載の発明は、透光体の前面および前面吹出口空間に近接する側面が発光する構成としたものであり、従来の一面発光の透光体を有する発光表示手段では視認角度が狭く、発光を認識しがたい視野角が多く存在していたが、透光体の発光面を複数面にすることにより発光表示手段の視野角を拡大することができるという作用を有する。
【００３５】
また、請求項４記載の発明は、前面吹出口を形成する風路に光択塗装を施したものであり、風路内に施した光択塗装面に透光体から発せられる光を反射させることにより、透光体表面のみならず、近接する風路の壁面も発光させることが可能となり、発光源となる透光体の材料を減少させ、発光面が小さな場合でも広い範囲を発光させることができるという作用を有する。
【００３６】
また、請求項５記載の発明は、透光体前方に透明材料からなる吹出格子を設けたものであり、発光の妨げとなる吹出格子を透明材料で構成することにより、光の減光を最小限に抑えながら、吹出口への異物等の侵入防止の役目となる格子を設けることができるという作用を有する。
【００３７】
また、請求子６記載の発明は、透光体の両端に発光色の異なるＬＥＤを設け、前記透光体に炭酸カルシウムを含有させたものであり、両端から異色のＬＥＤを照射した場合、各々の照射光が透光体の他端まで透過してしまい、透光体全体が１色の混色状態となり、表示内容が不鮮明な状態となるが、透光体に微量の炭酸カルシウムを配合することにより、透光体内部での照射光の乱反射が促進され、他端まで照射光が透過することなく、透光体上下で各々のＬＥＤ色を表現することが可能となり、表示内容を鮮明に表現することができるという作用を有する。
【００３８】
また、請求項７記載の発明は、透光体の両端に多色発光可能なＬＥＤを設けたものであり、単色発光のＬＥＤを透光体両端に各１個配置した場合、表示内容の種類が少なくなるというものであった。また、単色発光のＬＥＤを透光体両端に複数個配置した場合、設置スペースが大きくなるとともにコスト高となるものであったが、多色発光ＬＥＤを使用し、透光体両端に各１個のＬＥＤを配置することにより、数多くの表示内容を設定することが可能となり、かつＬＥＤの設置スペースも小さくすることができるという作用を有する。
【００３９】
また、請求項８記載の発明は、透光体の両端に多色発光可能に設けられるＬＥＤの色を選択できる選択スイッチをもうけたものであり、従来の発光表示手段の発光色は使用者による選択手段がなく発光色の選択ができないものであったが、発光色の選択スイッチを設けることで、使用者の好む発光色が選択することが可能になるという作用を有する。
【００４０】
また、請求項９記載の発明は、断面形状が扇形の透光体と、この透光体の曲面部分を反射させる反射手段を設けたものであり、従来は扇形の断面形状の曲面部分より後方にＬＥＤの光が逃げていたが、この曲面部分に反射手段を設けることにより、反射光を前方に集中させて発光面の輝度をさらに上げることが可能となるという作用を有する。
【００４１】
また、請求項１０記載の発明は、本体にリモコン受信部を設け、リモコン信号受信時に発光表示手段が点滅する構成としたものであり、従来、リモコン信号を受信した場合、ブザー音および受信した操作モードに該当するパイロットランプが点灯もしくは消灯するだけであったが、前面に設けられた発光表示手段をリモコン信号受信時に点滅させることにより、本体がリモコン信号を受信したことを使用者に分かりやすく伝えることが可能となるという作用を有する。
【００４２】
以下、本発明の実施の形態について図面を参照しながら説明する。
【００４３】
（実施の形態１）
図１〜図４に示すように、側面に吸込口１を有し、他側面に側面吹出口２を設け、側面吹出口２側寄りの前面に縦方向に細長形状に形成される前面吹出口３を設け、内部にクロスフローファン４と、フィルターユニット５からなる空気清浄手段６を設け本体７を形成し、本体７に設けられる前面吹出口３には、細長形状の透光体８と透光体８の両端から照射するＬＥＤ９を設けて発光表示手段１０を形成する。
【００４４】
そして、透光体８の前面および前面吹出口３空間に近接する側面１１が発光するように設け、前面吹出口３を形成する風路１２にはメタリック塗装による光択塗装を施し、透光体８の前面には透明材料から形成された吹出格子１３を設け構成する。
【００４５】
上記構成において、空気清浄機を運転すると、空気清浄手段６のクロスフローファン４が回転するとともに、発光表示手段１０のＬＥＤ９が点灯し、透光体８の両端から照射され、クロスフローファン４の回転に伴い吸込口１から吸い込まれた室内の汚染空気が空気清浄手段６のフィルターユニット５を通過する間に空気中のほこり、臭気等が捕集され、浄化された空気が側面吹出口２と前面吹出口３に分流して送られ室内に吹出される。
【００４６】
このとき、前面吹出口３側に発光表示手段１０が設けられているが、前面吹出口３に浄化された空気が流れるので、発光表示手段１０が汚染されることがなくなり、初期の発光強度を長期にわたり維持することができる。
【００４７】
また、透光体８の前面および前面吹出口３空間に近接する側面が発光するように、発光体８の発光面を複数面にすることにより、発光表示手段１０の視野角が拡大されることとなるとともに、前面吹出口３を形成する風路１２にメタリック塗装を施し、光択塗装面を形成していることにより、透光体８から発せられる光が反射され、透光体８の表面のみならず近接する風路１２の壁面も発光させることができることとなり、発光源となる透光体８の材料を減少させ、発光面が小さな場合でも広範囲に発光させることができることとなる。
【００４８】
また、透光体８の前方に設けられる縦長の吹出格子１３を透明材料または半透明材料で形成することにより、光の減少を最小限に抑えながら前面吹出口３への異物等の侵入防止の役目を果たすことができることとなる。
【００４９】
（実施の形態２）
図５に示すように、透光体８Ａの両端に発光色の異なる青色のＬＥＤ９Ａと、赤色のＬＥＤ９Ｂを設け、透光体８Ａに炭酸カルシウムを含有させて構成する。
【００５０】
上記構成において、透光体に炭酸カルシウムを含有させていないときには、両端から異色の青色のＬＥＤ９Ａと赤色のＬＥＤ９Ｂを照射した場合には各々の照射光が透光体８Ａの他端まで透過してしまい透光体８Ａ全体が１色の混色状態となり、表示内容が不鮮明となるが、透光体８Ａに微量の炭酸カルシウムを配合することにより、透光体８Ａ内部での照射光の乱反射が促進され、他端まで照射光が透過することがなくなり、透光体８Ａの上下で各々の青色のＬＥＤ９Ａと赤色のＬＥＤ９ＢによるＬＥＤ色を表現することが可能となり、表示内容を鮮明に表現することができることとなる。
【００５１】
（実施の形態３）
図６に示すように、透光体８Ｂの両端に３色発光が可能な多色発光のＬＥＤ９Ｃを設けるとともに、ＬＥＤ９Ｃの色を選択できる選択スイッチ１４を設け構成する。
【００５２】
上記構成において、単色発光のＬＥＤを透過体８Ｂの両端に各１個配置した場合、表示内容の種類が少なく、また、単色発光のＬＥＤを透光体８Ｂの両端に複数個配置した場合、設置スペースが大きくなるとともにコスト高になるものであったが、３色発光のＬＥＤ９Ｃを使用し、透光体８Ｂの両端に各１個のＬＥＤ９Ｃを配置し、組み合わせることによって、図６（ロ）に示すように７色の中からあらかじめ設定された色の組み合せを、選択スイッチ１４でモード選択することが可能となり、数多くの表示内容を設定することができ、ＬＥＤ９Ｃの設置スペースも小さくすることができる。また、従来の発光表示手段の発光色は使用者による選択手段がなく、発光色の選択ができなかったが、選択スイッチ１７を設けることで使用者の好む発光色を選択することができる。
【００５３】
（実施の形態４）
図７に示すように、断面形状が扇形の透光体８Ｃと、透光体８Ｃの曲面部分に光択塗装面等を施した反射手段１５を設け構成する。
【００５４】
上記構成において、透光体８Ｃの断面形状は扇形で曲面部分が前方側に向いていることにより、透光体８Ｃの曲面部分に設けた反射手段１５によって発光面の輝度をさらに上昇させることができることとなる。
【００５５】
（実施の形態５）
図８に示すように、本体７Ａにリモコン１６からの信号を受信できるリモコン受信部１７を設け、リモコン信号の受信時に制御手段１８を介して発光表示手段１０Ａが点滅するように構成する。
【００５６】
上記構成において、リモコン１６からの信号を本体７Ａに設けたリモコン受信部１７が受信すると、制御手段１８により発光表示手段１０Ａが点滅し、リモコン１６からリモコン信号を受信したことを使用者により分かりやすく伝えることができることとなる。
【産業上の利用可能性】
【００５７】
近年、冷房または暖房を行なう空気調和機にも空気清浄手段を設けたものも多くあり、清浄空気が接触する吹出口部分に発光表示手段を設け、運転の状態を確認できる用途にも適用できる。
【図面の簡単な説明】
【００５８】
【図１】本発明の実施の形態１の空気清浄機の発光表示装置を示す本体の断面図
【図２】同空気清浄機の発光表示装置の反射部分を示す部分断面図
【図３】同空気清浄機の発光表示装置の発光表示手段を示す本体の内面図
【図４】同空気清浄機の発光表示装置の前面吹出口を示す本体の斜視図
【図５】本発明の実施の形態２の空気清浄機の発光表示装置のＬＥＤを示す部分正面図
【図６】（イ）本発明の実施の形態３の空気清浄機の発光表示装置のＬＥＤを示す本体の内面図（ロ）同選択スイッチの操作により、色の組み合わせの変化を示す説明図
【図７】本発明の実施の形態４の空気清浄機の発光表示装置の反射部分を示す部分断面図
【図８】本発明の実施の形態５の空気清浄機の発光表示装置のブロック図
【図９】従来の空気清浄機の発光表示装置を示す本体の断面図
【図１０】同空気清浄機の発光表示装置の発光表示手段を示す本体の内面図
【符号の説明】
【００５９】
１      吸込口
２      側面吹出口
３      前面吹出口
６      空気清浄手段
７      本体
７Ａ    本体
８      透光体
８Ａ    透光体
８Ｂ    透光体
８Ｃ    透光体
９      ＬＥＤ
９Ａ    青色のＬＥＤ
９Ｂ    赤色のＬＥＤ
９Ｃ    多色のＬＥＤ
１０    発光表示手段
１０Ａ  発光表示手段
１１    側面
１２    風路
１３    吹出格子
１４    選択スイッチ
１５    反射手段
１７    リモコン受信部
【図１】
2006017378.tif 000003
【図２】
2006017378.tif 000004
【図３】
2006017378.tif 000005
【図４】
2006017378.tif 000006
【図５】
2006017378.tif 000007
【図６】
2006017378.tif 000008
【図７】
2006017378.tif 000009
【図８】
2006017378.tif 000010
【図９】
2006017378.tif 000011
【図１０】
2006017378.tif 000012